(57)【要約】【課題】  玉受け部で受け止めた多量のパチンコ玉をスムーズに玉排出部へ誘導させると共に、玉排出部からパチンコ玉をスムーズに排出できるパチンコ玉回収装置を提供する。【解決方法】  玉受け部１０と玉排出部１１とは、玉排出部１１の上流側の所定の長さに亘って連通し、傾斜底面１２の最下部１３を玉排出部１１の上流端部４６から下流のパチンコ玉１個分の範囲内となるように配置したため、玉受け部１０内のパチンコ玉量が少量のときには、パチンコ玉が玉排出部１１の上流側に向けて転動した後、玉排出部１１によって一列に整列されながら玉排出部１１内を転動していき、玉受け部１０内のパチンコ玉量が多量のときには、玉排出部１１側の傾斜底面１２上のパチンコ玉が既に玉排出部１１を転動しているパチンコ玉の上方から覆いかぶさるように玉排出部１１に誘導され、玉排出部１１内のパチンコ玉と共に一列に整列されながら玉排出部１１を転動していく。【選択図】        図１５
2005296046.tif 000002
【特許請求の範囲】
【請求項１】
パチンコ島台に設置されたパチンコ機等の後面側から排出されたパチンコ玉を受け入れる円筒形状の玉受け部と、該玉受け部で受け入れたパチンコ玉を一列で転動させて前記パチンコ島台内の所定の回収樋へ排出する玉排出部と、からなるパチンコ玉回収装置において、
前記玉受け部と前記玉排出部とは、前記玉受け部で受け入れたパチンコ玉が前記玉排出部へ誘導されるように前記玉排出部の上流側の所定の長さに亘って連通し、
前記玉受け部の底部を構成する傾斜底面の最下部を前記玉排出部の上流端部から下流のパチンコ玉１個分の範囲内となるように配置し、前記傾斜底面上のパチンコ玉を前記最下部が配置された位置に向けて転動させることを特徴とするパチンコ玉回収装置。
【請求項２】
前記玉排出部の上流側の所定区間を、前記玉受け部の外周を構成する外周壁に内接させて配置したことを特徴とする請求項１記載のパチンコ玉回収装置。
【請求項３】
前記玉排出部の上流端部と前記傾斜底面との間に段差を設けたことを特徴とする請求項２に記載のパチンコ玉回収装置。
【請求項４】
前記玉受け部の円筒形状の外周壁の外周には、径の異なる複数の円筒形状の部材を同心円状に重ねることにより構成されると共にその中心軸方向に段階的に伸縮する伸縮カバーが、前記玉受け部と同心円状に設けられていることを特徴とする請求項１乃至請求項３のいずれかに記載のパチンコ玉回収装置。
【発明の詳細な説明】
【技術分野】
【０００１】
本発明は、パチンコ島台に設置されたパチンコ機等の後面側から排出されたパチンコ玉を受け入れる円筒形状の玉受け部と、該玉受け部で受け入れたパチンコ玉を一列で転動させて前記パチンコ島台内の所定の回収樋へ排出する玉排出部と、からなるパチンコ玉回収装置に関するものである。
【背景技術】
【０００２】
従来、パチンコ島台に設置されたパチンコ機（パチンコ玉を使用して遊技を行う遊技機という意味）の後面側から排出されるパチンコ玉を回収するパチンコ玉回収装置として、パチンコ玉を受け入れる部分である玉受け部が矩形（正方形を含む）状のものが多く用いられている（例えば、特許文献１）。しかして、パチンコ玉回収装置には、玉受け部内のパチンコ玉をパチンコ島台内の所定の回収樋へ排出するための玉排出部が形成されているが、例えば、玉受け部と玉排出部とを一体成型し、部品点数を削減し、製造コストの削減を図った場合、上記したような矩形状の玉受け部を有するパチンコ玉回収装置においては、以下の二通りの方法が、玉排出部から排出されるパチンコ玉の排出先の位置を変更する方法として考えられる。
【０００３】
一つは、玉排出部の全長を伸縮する方法と、もう一つは、玉受け部の中心を回転軸として玉受け部と一体成型された玉排出部を回転させる方法とがある。前者は、玉排出部内を転動するパチンコ玉の転動距離が変化してしまうため、玉排出部の下流部で略垂直に落下させ、最終的に所定の回収樋へ排出する際にスムーズにパチンコ玉が落下する場合と落下し難い場合があった。一方、後者は、前者のような問題点は無いが、玉排出部の回転位置によって、玉受け部の角の部分と辺の部分とが入れ替わるように変化し、パチンコ機の後面側から排出されるパチンコ玉を受け止める範囲が変化してしまうため、例えば、玉排出部の回転位置を変更させる前は、パチンコ玉を受け止めることができても、変更後は、受け止めることができない場合があった。
【０００４】
そこで、本出願人は、玉受け部をその中心を回転軸として回転させた場合であっても、パチンコ玉を受け止める範囲を変化させることなく、玉排出部から排出されるパチンコ玉の排出先の位置を変更することができるよう、玉受け部を円筒形状に形成したパチンコ玉回収装置を提案した（例えば、特許文献２）。このような玉受け部が円筒形状に形成されているパチンコ玉回収装置は、上記のように、玉受け部をその中心を回転軸として回転させ、玉排出部の配置位置を変更させた場合であっても、パチンコ玉を受け止める範囲が変化することがないばかりでなく、パチンコ玉が玉受け部内を弧を描きながら転動するため玉排出部に導かれ易く、また、意匠性にも優れているという長所を有するものである。
【特許文献１】特開平８−２８０９２２号公報
【特許文献２】特開２００３−１８１１１３号公報
【発明の開示】
【発明が解決しようとする課題】
【０００５】
ところで、上記した特許文献２に開示されるパチンコ玉回収装置では、玉受け部で受け止めたパチンコ玉を玉排出部へ誘導する際、玉排出部の上流側で一列に整列させているが、その方法として玉排出部の上流側の両側面を下流側に向けて徐々に狭くし、最終的に玉排出部の内幅寸法をパチンコ玉が一個通過できる程度とすることにより、パチンコ玉を一列に整列させている。このような方法でパチンコ玉を一列にする場合、同一平面上にある少量のパチンコ玉（営業中のように、１分間に１００発程度のアウト玉）を一列に整列させる状況では問題ないが、例えば、パチンコ機の新台入替時等においてパチンコ機の賞球タンクからパチンコ玉を抜き取るときのように、多量のパチンコ玉を一度に玉受け部で受け止め、その多量のパチンコ玉が玉排出部に流入した場合にはやはり玉詰まりを起こしてしまうという問題があった。
【０００６】
そこで、本発明は、上記した事情に鑑みなされたもので、その目的とするところは、玉受け部で受け止めた多量のパチンコ玉をスムーズに玉排出部へ誘導させると共に、玉排出部からパチンコ玉をスムーズに排出できるパチンコ玉回収装置を提供することにある。
【課題を解決するための手段】
【０００７】
そこで、請求項１に係る発明について、図面を参照して説明すると、図１５に示すように、パチンコ島台１に設置されたパチンコ機２の後面側から排出されたパチンコ玉を受け入れる円筒形状の玉受け部１０と、該玉受け部１０で受け入れたパチンコ玉を一列で転動させて前記パチンコ島台１内の所定の回収樋へ排出する玉排出部１１と、からなるパチンコ玉回収装置５において、前記玉受け部１０と前記玉排出部１１とは、前記玉受け部１０で受け入れたパチンコ玉が前記玉排出部１１へ誘導されるように前記玉排出部１１の上流側の所定の長さに亘って連通し、前記玉受け部１０の底部を構成する傾斜底面１２の最下部１３を前記玉排出部１１の上流端部４６から下流のパチンコ玉１個分の範囲内となるように配置し、前記傾斜底面１２上のパチンコ玉を前記最下部１３が配置された位置に向けて転動させることを特徴とするパチンコ玉回収装置５とした。
【０００８】
また、請求項２に係る発明では、図面を参照して説明すると、図１５に示すように、請求項１に記載される前記パチンコ玉回収装置５は、前記玉排出部１１の上流側の所定区間を、前記玉受け部１０の外周を構成する外周壁１５に内接させて配置したことを特徴とするパチンコ玉回収装置５とした。
【０００９】
また、請求項３に係る発明では、図面を参照して説明すると、図２に示すように、請求項２に記載される前記パチンコ玉回収装置５は、前記玉排出部１１の上流端部４６と前記傾斜底面１２との間に段差１４を設けたことを特徴とするパチンコ玉回収装置５とした。
【００１０】
また、請求項４に係る発明では、図面を参照して説明すると、図２３乃至図２７に示すように、請求項１乃至請求項３に記載される前記パチンコ玉回収装置５は、前記玉受け部１０の円筒形状の外周壁１５の外周には、径の異なる複数の円筒形状の部材である第１カバー部材１０１，第２カバー部材１０２，第３カバー部材１０３を同心円状に重ねることにより構成されると共にその中心軸方向に段階的に伸縮する伸縮カバー１００が、前記玉受け部１０と同心円状に設けられていることを特徴とするパチンコ玉回収装置５とした。
【発明の効果】
【００１１】
請求項１に係る発明においては、玉受け部１０と玉排出部１１とが玉排出部１１の上流側の所定の長さに亘って連通し、玉受け部１０の底部を構成する傾斜底面１２の最下部１３を玉排出部１１の上流端部４６から下流のパチンコ玉１個分の範囲内となるように配置されている。これにより、玉受け部１０で受け止められたパチンコ玉が玉排出部１１に誘導される際、玉受け部１０内のパチンコ玉量が少量のときには図２０（Ａ）に示すように、パチンコ玉が玉排出部１１の上流側に向けて転動した後、玉排出部１１の上流側から下流側に向けて一列に整列されながら玉排出部１１内を下流側に向けてスムーズに転動していく。一方、玉受け部１０内のパチンコ玉量が多量のときには図２０（Ｂ）に示すように、玉排出部１１側の傾斜底面１２上のパチンコ玉が、既に玉排出部１１を転動しているパチンコ玉の上方から覆いかぶさるように玉排出部１１に誘導され、玉排出部１１内のパチンコ玉と共に一列に整列されながら玉排出部１１の下流側に向けてスムーズに転動していく。以上のことより、玉受け部１０で受け止めたパチンコ玉がたとえ多量であったとしても玉受け部１０からスムーズに玉排出部１１へ誘導させると共に、玉排出部１１からパチンコ玉をスムーズに所定の回収路であるアウト玉回収樋６へ排出させることができる。
【００１２】
請求項２に係る発明においては、玉排出部１１の上流側の所定区間を玉受け部１０の外周を構成する外周壁１５に内接させて配置している。これにより、玉排出部１１の上流側の所定区間が玉受け部１０と一体的に構成され、玉受け部１０を全体として円筒形状に形成することができる。このため、玉受け部１０と玉排出部１１が一体となっていながら、玉受け部１０をその中心を回転軸として回転させた場合であってもパチンコ玉を受け止める範囲が変化しない、という円筒型のパチンコ玉回収装置５の特徴を活かすことができると共にパチンコ玉回収装置５の意匠性も高めることができる。
【００１３】
請求項３に係る発明においては、玉排出部１１の上流端部４６と玉受け部１０の傾斜底面１２との間に段差１４が設けられているため、玉受け部１０から玉排出部１１へのパチンコ玉の誘導の際に、パチンコ玉が玉受け部１０から玉排出部１１へ落下することとなるため、よりスムーズにパチンコ玉を玉受け部１０から玉排出部１１へ誘導することができる。
【００１４】
請求項４に係る発明においては、玉受け部１０の円筒形状の外周壁１５の外周には、中心軸方向に段階的に伸縮する伸縮カバー１００が、前記玉受け部１０と同心円状に設けられている。これにより、パチンコ玉回収装置５を取り付けた状態によって、玉受け部１０とパチンコ機２の後面にあるアウト玉排出口３との間に間隔が生じる場合であっても、伸縮カバー１００をアウト玉排出口３に向けて伸ばして間隔を狭めることにより、アウト玉排出口３から排出されるアウト玉を玉受け部１０で確実に受け止めることができると共に、アウト玉以外の玉が玉受け部１０に飛び込むことを防止することができる。
【発明を実施するための最良の形態】
【００１５】
以下、図面を参照して本発明の実施形態について説明する。図１は、パチンコ機２の後面側下方に設置されているパチンコ玉回収装置５の斜視図であり、図２は、パチンコ玉回収装置５の分解斜視図であり、図３は、底面部材２９を取り外した状態の玉受け部１０の裏面側の斜視図であり、図４は、玉受け部１０に底面部材２９を取り付ける状態を示す側面図であり、図５は、パチンコ玉回収装置５に本体ベース５０及びスライドベース６０を取り付ける状態の分解斜視図であり、図６は、底面部材２９が取り付けられた状態の玉受け部１０の裏面側の斜視図であり、図７は、スライドベース６０の裏面側の斜視図であり、図８は、玉受け部１０とスライドベース６０と本体ベース５０を分解した状態の側面図であり、図９は、パチンコ玉回収装置５が基準位置にセットされた状態の側面図であり、図１０は、玉受け部１０及びスライドベース６０を基準位置からパチンコ機２の前面側に移動させた状態の側面図であり、図１１は、玉受け部１０及びスライドベース６０を基準位置からパチンコ機２の後面側に移動させた状態の側面図であり、図１２は、取付台４にパチンコ玉回収装置５を取り付ける状態を示す斜視図であり、図１３は、取付台４を分解した状態と組み立てた状態を示す側面図であり、図１４は、パチンコ玉回収装置５をパチンコ機２の前面側及び後面側に移動させた状態の平面図であり、図１５は、パチンコ玉回収装置５の平面図であり、図１６は、図１５のＡ−Ａにおける断面図であり、図１７は、図１５のＢ−Ｂにおける断面図であり、図１８は、パチンコ玉回収装置５の側面図であり、図１９は、玉排出部１１を示す平面図であり、図２０は、玉受け部１０の傾斜底面１２上をパチンコ玉が転動する状態を示す平面図であり、図２１は、玉受け部１０の外周壁１５と玉受け部１０と連通した部分における玉排出部１１との間に形成された角部２１及び該角部２１に形成された面取り部２２を示す平面図であり、図２２は、角部２１に形成された面取り部２２の別の実施形態を示す平面図であり、図２３は、伸縮カバー１００の分解斜視図であり、図２４は、第１カバー部材１０１の平面図，正面図及び側面図であり、図２５は、第２カバー部材１０２の平面図，正面図及び縦断面図であり、図２６は、第３カバー部材１０３の平面図及び縦断面図であり、図２７は、伸縮カバー１００を伸縮させた状態の側面図であり、図２８は、パチンコ玉回収装置５の他の実施形態の平面図である。なお、以下の説明において、パチンコ機１の前面側を前面側、パチンコ機１の後面側を後面側として説明する。
【００１６】
パチンコ島台１は、周知のように、直方体状に枠組み構成され、その長手方向両面に複数のパチンコ機２を背向列設するようになっているものであるが、図１においては、その一部のみを図示している。図１に示すように、パチンコ島台１に設置されたパチンコ機２の後面側下方の位置には、パチンコ機２で使用されてアウト玉排出口３から排出されたパチンコ玉を受け入れ、この受け入れたパチンコ玉をパチンコ島台１内のアウト玉回収樋６（図１４参照）に送るためのパチンコ玉回収装置５が設置されている。このパチンコ玉回収装置５は、後述する取付台４によってパチンコ島台１に取り付けられている。なお、パチンコ機２の後面側から排出されるパチンコ玉、即ち、アウト玉排出口３から排出されるパチンコ玉のことを、通称、「アウト玉」という。
【００１７】
次に、本発明の要部を構成するパチンコ玉回収装置５について図を参照して説明する。パチンコ玉回収装置５は、図２に示すように、主として、パチンコ島台１に設置されたパチンコ機の後面側から排出されたパチンコ玉を受け入れる円筒形状の玉受け部１０と、この玉受け部１０で受け入れたパチンコ玉を一列で転動させてパチンコ島台１内の所定の回収樋であるアウト玉回収樋６へ排出する玉排出部１１とから構成されている。この玉受け部１０と玉排出部１１とは、玉受け部１０で受け入れたパチンコ玉が玉排出部１１へ誘導されるように、玉排出部１１の上流側の所定の長さに亘って連通している。具体的には、図１５で示すように、ほぼＬに示す長さの範囲で、樋状に形成された玉排出部１１の左側辺７０と連通し、一方、玉排出部１１の右側辺７１は玉受け部１０の外周壁１５と内接しているものであり、玉排出部１１の上流側と玉受け部１０が所定区間、内接させて配置し、一体となって、玉受け部１０だけの形状で見れば、平面視でほぼ円形状に形成されている。また、図２の破線で示すように、玉受け部１０と一体に形成されている玉排出部１１の上流側は、玉受け部１０の底部を構成する傾斜底面１２よりも低い位置に形成されているため、傾斜底面１２から玉排出部１１に向けてパチンコ玉が落下するようになっている。
【００１８】
ここで、玉受け部１０について、図２を参照して説明すると、玉受け部１０は、上記したように円筒形状に形成されると共に、その底部が傾斜底面１２として形成されている。この傾斜底面１２の表面には、玉受け部１０で受け入れたパチンコ玉が大きく弾んで玉受け部１０の外へ飛び出さないように、低反発性部材４７が貼付されている。また、玉受け部１０の外周は、外周壁１５によって形成されており、上記した玉排出部１１の上流側が所定区間に亘って、図１５に示すように、この外周壁１５に内接して配置されている。このように、玉排出部１１の上流側の所定区間が外周壁１５に内接して配置されているため、玉排出部１１の上流側の一部が玉受け部１０と一体的に構成され、玉受け部１０を全体として円筒形状に形成することができる。
【００１９】
これにより、玉受け部１０と玉排出部１１が一体となっていながら、玉受け部１０をその中心を回転軸として回転させた場合であってもパチンコ玉を受け止める範囲が変化しない、という円筒型のパチンコ玉回収装置５の特徴を活かすことができると共にパチンコ玉回収装置５の意匠性も高めることができる。
【００２０】
また、外周壁１５は、その一部が切り欠かれて玉排出部１１の下流側を外側へ突出させるための連通口４８として形成されており、この連通口４８は、玉排出部１１の後述する底面部１７が挿通するものである。また、外周壁１５の上端部近傍には、後述する伸縮カバー１００を取り付けるための取付突起１６が対面する２箇所に突設されている。
【００２１】
ところで、上記した傾斜底面１２は、玉排出部１１の上流側に向けて下り傾斜して形成されるものであるが、その下流端である最下部１３は、図１５及び図１７に示すように、玉排出部１１の上流端部４６から下流のパチンコ玉１個分の範囲内となるように位置している。
【００２２】
これにより、玉受け部１０で受け止められたパチンコ玉が玉排出部１１に誘導される際、玉受け部１０内のパチンコ玉量が少量のときには図２０（Ａ）に示すように、パチンコ玉が玉排出部１１の上流側に向けて転動した後、玉排出部１１の上流側から下流側に向けて一列に整列されながら玉排出部１１内を下流側に向けてスムーズに転動していく。一方、玉受け部１０内のパチンコ玉量が多量のときには図２０（Ｂ）に示すように、玉排出部１１側の傾斜底面１２上のパチンコ玉が、既に玉排出部１１を転動しているパチンコ玉の上方から覆いかぶさるように玉排出部１１に誘導され、玉排出部１１内のパチンコ玉と共に一列に整列されながら玉排出部１１の下流側に向けてスムーズに転動していく。以上のことより、玉受け部１０で受け止めたパチンコ玉がたとえ多量であったとしても玉受け部１０からスムーズに玉排出部１１へ誘導させると共に、玉排出部１１からパチンコ玉をスムーズに所定の回収路であるアウト玉回収樋６へ排出させることができる。
【００２３】
なお、玉受け部１０の傾斜底面１２の最下部１３が、玉排出部１１の上流端部４６から下流のパチンコ玉１個分の範囲よりも下流側に位置している場合、例えば、図１５のＣ−Ｃ線上に位置している場合には、Ｃ−Ｃ線上に位置している傾斜底面１２の最下部１３に向けて玉受け部１０内のパチンコ玉が転動し、この最下部１３にパチンコ玉が誘導された後に玉排出部１１を転動していく。このように、最下部１３に誘導されたパチンコ玉はそのまま玉排出部１１を転動していくが、このとき、玉排出部１１内のＣ−Ｃ線よりも上流側に誘導されたパチンコ玉は、最下部１３に誘導されて玉排出部１１を転動していくパチンコ玉に流れを阻止され、玉排出部１１内のＣ−Ｃ線よりも上流側で停滞する。そして、この停滞したパチンコ玉に後続のパチンコ玉が流れを遮られて、更に停滞するパチンコ玉が増加し、最終的に玉排出部１１へ誘導されるパチンコ玉全体の流れが停滞し、玉受け部１０内で玉詰まりを起こしてしまう。
【００２４】
また、玉受け部１０の裏面側には、図２及び図６に示すように、後述するスライドベース６０を玉受け部１０に取り付けるための底面部材２９が取り付けられている。この底面部材２９は、玉受け部１０の裏面側の形状と一致するように、ほぼ円盤形状に形成されるものであり、その上面中央には、玉受け部１０の後述する取付部２５（図３参照）に挿入される取付挿入部３０が突設されている。この取付挿入部３０の外周面には、玉受け部１０の後述する係合片２６（図３参照）と係合する係合凹凸部３１が形成されている。また、底面部材２９の中央には、底面部材２９を玉受け部１０に取り付けるための取付部材３３が挿入される挿入穴３２が穿設されている。
【００２５】
また、玉受け部１０の裏面側には、上記したように取付部２５が形成されており、この取付部２５は、図３に示すように、傾斜底面１２のほぼ中央に円筒形状で突設されるものであり、その内面側の端部近傍には上記した係合片２６が対面する位置で２箇所突設されている。また、取付部２５の内側であって傾斜底面１２のほぼ中央には、玉受け部１０に底面部材２９を取り付けるための取付ネジ穴２８が穿設された取付ボス２７が突設されている。
【００２６】
しかして、図２に示すように、底面部材２９を玉受け部１０の裏面側に取り付けるには、取付部材３３に突設された取付凸部３４を底面部材２９の挿入穴３２に挿入した状態で、底面部材２９を玉受け部１０の裏面に当接させる。このとき、取付凸部３４に穿設されたボス挿入穴３５に取付ボス２７が挿入される。そして、取付部材３３の下方からボス挿入穴３５に挿入した取付ネジ３６を、取付ボス２７の取付ネジ穴２８に螺着することにより、図４に示すように、底面部材２９が玉受け部１０の裏面側に取り付けられる。これにより、底面部材２９が玉受け部１０に対して回転可能に取り付けられるが、このとき、係合凹凸部３１の凹部に係合片２６が係合するため、底面部材２９が玉受け部１０に対して固定される。しかし、取付部２５の壁面は外側に向けてたわむため、底面部材２９を玉受け部１０に対して回転させたときは、係合片２６が係合凹凸部３１の凸部に乗り上がる。従って、底面部材２９は、係合凹凸部３１の凹部と係合片２６が噛み合う位置で固定されながらも玉受け部１０に対して回転させることができる。なお、取付部材３３下部の円板の上面に形成された、底面部材２９の裏面側と当接する複数の略半球状の凸部は、取付部材３３と底面部材２９が摺動する際に生じる摩擦を低減するために設けられている。
【００２７】
次に、玉排出部１１について説明すると、図２において、玉排出部１１は、上記したように、上流側の所定区間は、玉受け部１０と内接し一体的に形成されるものであり、また、所定区間外の下流側では、側面が側壁２０として形成されると共に、その底部が底面部１７として形成され、この底面部１７の下流端には、パチンコ玉を略垂直に落下させるためのパチンコ玉落下口５７（図１８参照）が形成されている。また、底面部１７は、図１８及び図１９に示すように、下流側の所定の区間が勾配の緩やかな緩勾配区間１９として形成されると共に、この緩勾配区間１９以外の区間が緩勾配区間１９よりも勾配が急な急勾配区間１８として形成されている。
【００２８】
このため、玉排出部１１の下流側で玉詰まりが起こしている場合には、玉排出部１１の急勾配区間１８を速い速度で流下するパチンコ玉が玉詰まりを起こしているパチンコ玉に衝突することによる衝撃と振動によって玉詰まりを解消することができる。このように、玉排出部１１の下流側、より詳細には、後述する玉計数器３９での玉詰まりを起こしている場合には、この玉詰まりによってパチンコ玉が緩勾配区間１９に停滞することになるため、即ち、実質、緩勾配区間１９がないのも同然となり、急勾配区間１８を流下するパチンコ玉の速度があまり減速されることなく、玉詰まりをしているパチンコ玉に衝突して玉詰まりを解消し易くなる。一方、玉排出部１１の下流側で玉詰まりを起こしていない場合には、緩勾配区間１９にパチンコ玉が存在していないため、急勾配区間１８を流下してきたパチンコ玉は、緩勾配区間１９によってその流下速度が減速され、玉排出部１１からパチンコ玉を直下させる箇所でパチンコ玉が不規則に跳ね上がる等の現象が起きることがなく、パチンコ玉を玉排出部１１からスムーズに排出することができる。
【００２９】
なお、本実施形態においては、緩勾配区間１９は、パチンコ玉落下口５７の中心から上流側に向けてパチンコ玉の直径の５〜６倍（図１８のＰで示す）の長さで形成されている。これにより、玉排出部１１の下流側での玉詰まりを起こしている場合に、緩勾配区間１９に約５〜６個までのパチンコ玉が停滞して緩勾配区間１９が適度な距離に短くなるため、急勾配区間１８を流下してきたパチンコ玉の流下速度を減速させることなく、停滞しているパチンコ玉に適切な衝撃力で衝突させることができる。一方、玉排出部１１の下流側での玉詰まりを起こしていない場合には、急勾配区間１８を流下してきたパチンコ玉の速度を十分に減速させることができるため、玉排出部１１からパチンコ玉を直下させる箇所でパチンコ玉が不規則に跳ね上がる等の現象が起きることなく、パチンコ玉を玉排出部１１からスムーズに排出することができる。
【００３０】
また、底面部１７の上流端部４６と玉受け部１０の傾斜底面１２との間には、段差１４が形成されている。
このように、段差１４が形成されているため、玉受け部１０から玉排出部１１へのパチンコ玉の誘導の際に、パチンコ玉が玉受け部１０から玉排出部１１へ落下することとなるため、よりスムーズにパチンコ玉を玉受け部１０から玉排出部１１へ誘導することができる。
【００３１】
また、玉排出部１１の下流側であって、上記した緩勾配区間１９にほぼ対応する位置は、パチンコ玉回収装置５から排出されるパチンコ玉を検出する玉計数器３９を取り付けるための部材取付部４９として形成されている。この部材取付部４９には、図２に示すように、玉計数器３９が挿入された取付部材３７が取付ネジ３８によって取り付けられ、これにより、パチンコ玉回収装置５に玉計数器３９が取り付けられることとなる。なお、玉計数器３９の後面側には、パチンコ玉落下口５７に対応し、パチンコ玉が通過する玉通過穴４０が形成されている。
【００３２】
次に、上記したパチンコ玉回収装置５をパチンコ機２に対して前後方向にスライド移動させるための前後スライド機構と、パチンコ機２に対して左右方向にスライド移動させるための左右スライド機構と、について説明する。即ち、本実施形態に係るパチンコ玉回収装置５には、パチンコ機２の左右方向に略平行に設置される取付部４と、パチンコ玉回収装置５を取付部４に取り付けるための本体ベース５０と、この本体ベース５０に対してパチンコ玉回収装置５を前後方向にスライド移動させる前後スライド機構と、取付部４に対してパチンコ玉回収装置５が取り付けられた本体ベース５０を左右方向にスライド移動させる左右スライド機構と、が備えられている。
【００３３】
しかして、前後スライド機構は、主に、本体ベース５０の上部に形成された後述する第１スライド部５１ａ，５１ｂと、玉受け部１０の底面部材２９に形成された後述する第２スライド部４２と、後述するスライドベース６０に形成され第１スライド部５１ａ，５１ｂと第２スライド部４２の両方が係合するスライドガイド部６１と、から構成され、以下に、詳細を説明する。なお、左右スライド機構に関しては、前後スライド機構の説明の後で説明を行う。
【００３４】
まず、本体ベース５０は、図５に示すように、縦断面視がほぼコ字状に形成され、その上面側の長手方向（左右方向）ほぼ中央には、スライドベース６０が設置されるスライドベース設置部５８が形成されると共に、内側面上部には後述する摺動ガイド板８２の摺動凸部８３上を摺動する摺動突起５４が長手方向に亘って２箇所突設されている。また、上面の長手方向の両側方には、本体ベース５０を後述する取付ベース８０に取り付けて位置決めするための位置決め穴５５が穿設されている。
【００３５】
上記したスライドベース設置部５８の両側方には、スライドベース６０のスライドガイド部６１に係合する第１スライド部５１ａ，５１ｂが突設されている。この第１スライド部５１ａ，５１ｂは、下方から上方にかけて徐々にその突出寸法が大きくなる断面三角形状に形成されるものであり、前面側に位置するものが第１スライド部５１ａで、後面側に位置するものが第１スライド部５１ｂである。
【００３６】
また、スライドベース設置部５８の下面には、スライドベース６０の裏面側に形成された後述する第２係合突起６５（図７参照）が係合する第２係合溝５２が二列に亘って形成されている。この第２係合溝５２は、スライド方向（前後方向）で凹凸形状に形成されるものであり、その凹部５３に第２係合突起６５が係合するようになっている。なお、この第２係合突起６５及び第２係合溝５２によって、本体ベース５０とスライドベース６０とで奏する前後方向へのスライド移動をスライド移動した位置で保持するスライドベース保持機能が達成される。
【００３７】
次に、スライドベース６０は、図５に示すように、ほぼ長方形で平板状に形成されるものであり、その前面側に位置する端部には、後述する着脱規制部材６６を取り付けるための部材取付部６８が形成されている。また、スライドベース６０の両側面には、第１スライド部５１ａ，５１ｂと第２スライド部４２が係合するスライドガイド部６１が形成されている。このスライドガイド部６１は、中心に向けて徐々にその深さが深くなる断面Ｖ字形状に形成されるものである。
【００３８】
このスライドガイド部６１の端部は、前面側及び後面側共に、スライドベース６０の端部から間隔をおいた位置に形成されている。そして、スライドガイド部６１の後面側の端部は第１スライド部５１ｂと第２スライド部４２が当接し、後方向のスライド移動の限界を規制する移動規制部６４ａとして形成し、また、部材取付部６８に着脱規制部材６６を取り付けたときに、着脱規制部材６６の後面側端部が、移動規制部６４ａと同様に第１スライド部５１ａと第２スライド部４２が当接し、前方向のスライド移動の限界を規制する移動規制部６４ｂとして機能することとなる。
【００３９】
また、スライドベース６０の上面中央の後面側には、底面部材２９の裏面側に形成された後述する第１係合突起４１（図６参照）が係合する第１係合溝６２が形成されている。この第１係合溝６２は、スライド方向で凹凸形状に形成されるものであり、その凹部６３に第１係合突起４１が係合するようになっている。なお、この第１係合突起４１及び第１係合溝６２によって、玉受け部１０とスライドベース６０とで奏する前後方向へのスライド移動をスライド移動した位置で保持する玉受け部保持機構が達成される。
【００４０】
しかして、スライドベース６０の裏面側には、図７に示すように、前述した第２係合溝５２の凹部５３に係合する第２係合突起６５が突設されている。この第２係合突起６５は、根元部分がたわむことにより、上下動するようになっている。
【００４１】
次に、玉受け部１０に取り付けられる底面部材２９は、図６に示すように、その裏面側のほぼ中央に前後方向に亘って、スライドベース６０が設置されるスライドベース設置部６９が形成されている。このスライドベース設置部６９の後面側の両側方には、スライドベース６０のスライドガイド部６１に係合する第２スライド部４２が突設されている。この第２スライド部４２は、下方から上方にかけて徐々にその突出寸法が大きくなる断面三角形状に形成されるものである。また、スライドベース設置部６９の後面側端部には、前述した第１係合溝６２の凹部６３に係合する第１係合突起４１が突設されている。
【００４２】
しかして、玉受け部１０，本体ベース５０及びスライドベース６０を組み立てるには、図５及び図８に示すように、まず、スライドベース６０を本体ベース５０のスライドベース設置部５８の後面側から挿入するように設置することにより、スライドベース６０のスライドガイド部６１に第１スライド部５１ａ，５１ｂを係合させる。次に、同じくスライドベース６０を底面部材２９のスライドベース設置部６９の後面側から挿入するように設置することにより、スライドベース６０のスライドガイド部６１に第２スライド部４２を係合させる。そして、この状態でスライドベース６０の部材取付部６８に、取付ネジ６７によって着脱規制部材６６を取り付けることにより、図１及び図９に示すように、本体ベース５０及びスライドベース６０がパチンコ玉回収装置５（玉受け部１０）に組み付けられる。なお、図９は、玉受け部１０，本体ベース５０及びスライドベース６０のそれぞれのスライド方向における中心を一致させた基準位置を示している。
【００４３】
上記のようにして組み立てられたパチンコ玉回収装置５の前後スライド機構は、図１０（Ａ）に示すように、スライドガイド部６１を第１スライド部５１ａ，５１ｂに沿って摺動させることにより、上記した基準位置から前面側に向けて本体ベース５０上を第１スライド部５１ｂと移動規制部６４ａが当接するまでスライドベース６０をスライド移動する。また、図１０（Ｂ）に示すように、第２スライド部４２をスライドガイド部６１に沿って摺動させることにより、基準位置から前面側に向けてスライドベース６０上を第２スライド部４２と移動規制部６４ｂが当接するまでパチンコ玉回収装置５をスライド移動する。
【００４４】
即ち、玉受け部１０が本体ベース５０に対し、前面側に向けて２段階でスライド移動するため、たとえ、前後スライド機構の前後方向の寸法を小さく抑えても、玉受け部１０を前面側に向けて十分に移動させることができる。また、前後スライド機構の前後方向の寸法を抑えることにより、前後スライド機構が玉受け部１０の裏面側に上方から見て隠れやすくなるため、前後スライド機構を備えたパチンコ玉回収装置５の全体を見たときに、円筒状の玉受け部１０という優れた意匠性を損なうことがない。
つまり、意匠性を損なうことなく、玉受け部１０を所望の位置に移動させることができる前後スライド機構をパチンコ玉回収装置１に設けることが可能となる。
【００４５】
なお、上記のようにスライドベース６０が前面側に向けて本体ベース５０上をスライド移動すると、第１スライド部５１ｂの後面側の端部が移動規制部６４ａ（図９〜図１１において、ｂの位置で示す）に当接するため、スライドベース６０がこの位置よりも前面側に移動することがない。また、上記のように玉受け部１０が前面側に向けてスライドベース６０上をスライド移動すると、第２スライド部４２の前面側の端部が移動規制部６４ｂ（図９〜図１１において、ａの位置で示す）に当接するため、玉受け部１０がこの位置よりも前面側に移動することがない。
【００４６】
また、スライドベース６０は、図１１に示すように、スライドガイド部６１を第１スライド部５１ａ，５１ｂに沿って摺動させることにより、基準位置から後面側に向けて本体ベース５０上をスライド移動する。このとき、第１スライド部５１ａの前面側の端部が移動規制部６４ｂに当接すると共に、第２スライド部４２の前面側の端部が移動規制部６４ａに当接しているため、スライドベース６０及び玉受け部１０がこの位置よりも後面側に移動することがない。
【００４７】
これにより、図１４に示すように、玉受け部１０が本体ベース５０に対し、後面側に向けてスライド移動するため、例えば、パチンコ機２を新台に入れ替えるとき等に、玉受け部１０が干渉して入替作業に支障を来たすようなことがない。また、後面側に向けてのスライド移動は、パチンコ機２の前面側に向けてのスライド移動と異なり１段階でのスライド移動であるため、図１４に示すように、必要以上の距離に亘ってスライド移動することがなく、対面側に設置されたパチンコ玉回収装置５の玉受け部１０と干渉することを防止できる。
【００４８】
また、上記のように、スライドベース６０が本体ベース５０上をスライド移動する際、第２係合突起６５が第２係合溝５２の凹凸に沿って上下動しながら移動する。そして、第２係合溝５２に形成される凹部５３に第２係合突起６５が係合することにより、スライドベース６０が所定の位置、即ち、凹部５３に第２係合突起６５が係合した位置で保持される。同様に、玉受け部１０がスライドベース６０上をスライド移動する際、第１係合突起４１が第１係合溝６２の凹凸に沿って上下動しながら移動する。そして、第１係合溝６２に形成される凹部６３に第１係合突起４１が係合することにより、玉受け部１０が所定の位置、即ち、凹部６３に第１係合突起４１が係合した位置で保持される。これにより、玉受け部１０が本体ベース５０に対して保持されるため、玉受け部１０を所望の位置に移動させた状態で固定することができる。
【００４９】
上記したように、パチンコ玉回収装置５は、前後スライド機構によってパチンコ機２の前後方向で移動可能に構成されているが、左右スライド機構によってパチンコ島台１に備えられた取付台４に対して、パチンコ機２の左右方向にも移動することができる。そこで、次に、この左右スライド機構の構成について説明する。
【００５０】
しかして、左右スライド機構は、主に、側面視及び縦断面視が略コの字状に形成され上方にパチンコ玉回収装置５が設置される本体ベース５０と、この本体ベース５０の略コの字状の形状に嵌合し、本体ベース５０が上面部を摺動する取付部４の上面部を覆うほぼ平板状の摺動ガイド板８２と、から構成され、以下に、詳細を説明する。
【００５１】
取付台４は、図１で示すように、パチンコ機２の左右方向で長尺な箱形状に形成されるものであり、図１２に示すように、主として、パチンコ島台１に直接取り付けられる取付ベース８０と、その上面部をパチンコ玉回収装置５が移動する摺動ガイド板８２と、から構成されている。
【００５２】
取付ベース８０は、上方が開口した箱形状に形成されており、その内部には、後述する固定部材９０が摺動する摺動溝８１が長手方向に亘って形成されている。また、摺動ガイド板８２は、ほぼ平板状に形成されるものであり、その中央には、後述する位置決めネジ５６が挿通される挿通溝８４が長手方向に亘って形成されると共に、この挿通溝８４の両側方であって摺動ガイド板８２の上面には、パチンコ玉回収装置５を備えた本体ベース５０を当接させたときに、本体ベース５０内側の摺動突起５４が当接する摺動凸部８３が長手方向に亘って形成されている。
【００５３】
また、上記したように、取付ベース８０の摺動溝８１内を固定部材９０が摺動できるようになっているが、この固定部材９０は、六角柱形状に形成されるものであり、その軸中心に位置決めネジ５６が螺着する固定ネジ穴９１が穿設されると共に、その側壁が摺動溝８１の側壁と当接する摺動面９２として形成されている。
【００５４】
しかして、取付台４を組み立てると共にパチンコ玉回収装置５を取り付けるには、取付ベース８０の摺動溝８１に固定部材９０を挿入した後、摺動ガイド板８２の挿通溝８４に挿通した取付ネジ８６によって取付ベース８０に取り付ける。そして、本体ベース５０の位置決め穴５５及び摺動ガイド板８２に挿通した位置決めネジ５６を固定部材９０の固定ネジ穴９１に螺着する。これにより、図１３に示すように、取付台４が組み立てられると共に、本体ベース５０が取付台４に取り付けられる。このとき、固定ネジ穴９１を時計回りに回転させることにより固定部材９０が上方に移動し、図１３（Ｂ）で示すように、固定部材９０の上面が摺動ガイド板８２の下面と当接することとなる。このように、位置決めネジ５６を締め付けることにより、固定部材９０と本体ベース５０とで摺動ガイド板８２が挟持されるため、本体ベース５０、即ち、パチンコ玉回収装置５が取付台４に対して固定されることとなる。なお、取付台４は、固定ネジ８５によってパチンコ島台１に対して取り付けられる。
【００５５】
上記のようにして組み立てられたパチンコ玉回収装置５の左右スライド機構は、パチンコ玉回収装置５の位置を左右方向に移動させる場合には、位置決めネジ５６を弛めて摺動ガイド板８２の挟持を解除する。摺動ガイド板８２の挟持を解除することにより、パチンコ玉回収装置５が備えられた本体ベース５０が移動可能になるため、パチンコ玉回収装置５を所望の位置に移動させ、再び位置決めネジ５６を締め付けることにより、パチンコ玉回収装置５を任意の位置で固定することができる。
【００５６】
以上、パチンコ玉回収装置５の前後及び左右スライド機構の構成等について説明したが、次に、パチンコ玉回収装置５の玉受け部１０内におけるパチンコ玉の玉詰まりを防止するために設けた面取り部２２について説明する。
【００５７】
パチンコ玉回収装置５の玉受け部１０内におけるパチンコ玉の動きについては、前述したように、玉受け部１０内のパチンコ玉量が少量のときには図２０（Ａ）に示すように、傾斜底面１２の落下位置で受け止めたパチンコ玉がその落下位置から弾け拡がるように複数方向に分かれて、パチンコ玉が玉排出部１１の上流側に向けて転動した後、玉排出部１１によって一列に整列されながら玉排出部１１内を転動していき、一方、玉受け部１０内のパチンコ玉量が多量のときには図２０（Ｂ）に示すように、玉排出部１１側の傾斜底面１２上のパチンコ玉が、既に玉排出部１１を転動しているパチンコ玉の上方から覆いかぶさるように玉排出部１１に誘導され、玉排出部１１内のパチンコ玉と共に一列に整列されながら玉排出部１１を転動していく。
【００５８】
しかし、玉受け部１０をその中心を回転軸として回転させることにより、傾斜底面１２へのパチンコ玉の落下位置を変化させた際に、玉受け部１０の外周を構成する外周壁１５と玉排出部１１の側面を構成する側壁２０との連結部分の内側面に形成される角部２１近傍に向けてのパチンコ玉の流れが極端に多くなる場合がある。その様な場合、本出願人による実験では、角部２１近傍、より詳しくは、角部２１下方に位置する玉排出部１１で玉詰まりを起こすことがある。そこで、本実施形態に係るパチンコ玉回収装置５においては、この玉詰まりを防止するため、角部２１に、角部２１近傍の玉受け部１０内のパチンコ玉を積極的に玉排出部１１へ誘導する面取り部２２が形成されている。
【００５９】
具体的には、図２１に示すように、面取り部２２と外周壁１５内面との交点２３を通る外周壁１５内面上の接線ｂと、面取り部２２の延長線ａと、がなす面取り部２２表面側の角度Ｂを９０°以下に設定している。また、面取り部２２と側壁２０内面との交点２４を通る側壁２０内面上の接線ｃと、面取り部２２の延長線ａと、がなす面取り部２２表面側の角度Ａを９０°以下に設定している。このように構成されているため、外周壁１５に沿って転動するパチンコ玉が面取り部２２によって９０°以下の角度で転動方向を転換して玉排出部１１へ誘導するようになっている。
【００６０】
これにより、外周壁１５に沿って転動するパチンコ玉が面取り部２２によって９０°以下の角度で転動方向を転換して玉排出部１１へ誘導されるため、玉排出部１１へ向けて誘導されるパチンコ玉による力と、玉排出部１１から排出されるパチンコ玉による力とが釣り合ってパチンコ玉が移動しなくなるということがなく、玉詰まりが発生することがない。
【００６１】
なお、上記した実施形態に係る面取り部２２は、角部２１の先端をわずかに平坦形状としているが、このようなものに限らず、図２２に示すように、外周壁１５と側壁２０との間に壁部５９を設け、面取り部２２を長く形成したものであってもよい。
【００６２】
以上、玉詰まりを防止するための面取り部２２について説明したが、次に、パチンコ玉回収装置５の玉受け部１０に取り付けられ、対応するパチンコ機１から排出されるアウト玉以外のパチンコ玉が玉受け部１０に入ることを防止するための伸縮カバー１００について説明する。
【００６３】
この伸縮カバー１００は、図２７に示すように、玉受け部１０の円筒形状の外周壁１５の外周に玉受け部１０と同心円状に設けられるものである。そして、図２３に示す径の異なる複数の円筒形状の部材である第１カバー部材１０１，第２カバー部材１０２，第３カバー部材１０３を、図２７に示すように、同心円状に重ねることにより構成されると共にその中心軸方向に段階的に伸縮するものである。そこで、上記した伸縮カバー１００を構成する第１カバー部材１０１，第２カバー部材１０２，第３カバー部材１０３のそれぞれについて説明する。
【００６４】
第１カバー部材１０１は、図２４に示すように、円筒形状に形成される第１カバー本体１０４によって構成され、この第１カバー本体１０４の上部には、外周方向に向けて第１カバーフランジ１０５が突設されている。また、第１カバー本体１０４の対面する両側面には、第１カバー部材１０１を玉受け部１０に取り付けるための第１カバー取付部１０６が形成されている。また、第１カバー取付部１０６と円周方向で９０度ずれた位置には、第１カバー部材１０１に対して第２カバー部材１０２を取り付けるための第２カバー取付部１１０が対面する両側面に形成されている。
【００６５】
上記した第１カバー取付部１０６は、カバー本体１０４の下端部をほぼＬ字形状に切り欠くことにより形成されるものである。この第１カバー取付部１０６には、カバー本体１０４の下端から上方に向けて、玉受け部１０の取付突起１６が挿入される突起挿入部１０７が形成されると共に、この突起挿入部１０７の上端から横方向に向けて、取付突起１６が嵌め込まれる突起嵌入部１０８が形成されている。そして、突起嵌入部１０８の下部には、取付突起１６の下面に突設された位置決め突起（図示しない）が嵌入する第１カバー位置決め凹部１０９が形成されている。
【００６６】
また、上記した第２カバー取付部１１０は、第１カバー本体１０４の側面をほぼコ字形状に溝を彫ることにより形成されるものであり、第１カバー取付部１０６と異なり、貫通することなく底面が形成されるものである。この第２カバー取付部１１０には、第１カバー本体１０４の下端から上方に向けて、第２カバー部材１０２の後述する第２突起１２３が挿入される第２突起挿入溝１１１が形成されると共に、この第２突起挿入溝１１１の上端から横方向に向けて、第２突起１２３が嵌め込まれる第２突起下部嵌入部１１２が形成されている。そして、第２突起下部嵌入部１１２の下部には、第２突起１２３の下面に形成された後述する第２カバー位置決め凹部１２４に嵌入する第２カバー下部位置決め凸部１１３が突設されている。
【００６７】
また、上記した第２突起下部嵌入部１１２のほぼ中間位置から上方に向けて、第２突起１２３が移動する第２上下移動溝１１４が形成されると共に、この第２上下移動溝１１４の上端から横方向に向けて、第２突起１２３が嵌め込まれる第２突起上部嵌入部１１５が形成されている。そして、第２突起上部嵌入部１１５の下部には、第２突起１２３の下面に形成された第２カバー位置決め凹部１２４に嵌入する第２カバー上部位置決め凸部１１６が突設されている。
【００６８】
次に、第２カバー部材１０２は、図２５に示すように、円筒形状に形成される第２カバー本体１２０によって構成され、この第２カバー本体１２０の上部には、外周方向に向けて第２カバー上部フランジ１２１が突設されると共に、下部には内周方向に向けて第２カバー下部フランジ１２２が突設されている。また、第２カバー下部フランジ１２２の対面する２箇所には、上記した第２カバー取付部１１０に嵌入される第２突起１２３が内周方向に向けて突設されている。この第２突起１２３の下面には、上記した第２カバー下部位置決め凸部１１３が嵌入される第２カバー位置決め凹部１２４が形成されている。また、第２突起１２３と円周方向で９０度ずれた位置には、第２カバー部材１０２に対して第３カバー部材１０３を取り付けるための第３カバー取付部１２５が対面する両側面に形成されている。
【００６９】
上記した第３カバー取付部１２５は、第２カバー本体１２０の側面をほぼコ字形状に溝を彫ることにより形成されるものである。この第３カバー取付部１２５には、第２カバー本体１２０の下端から上方に向けて、第３カバー部材１０３の後述する第３突起１４３が挿入される第３突起挿入溝１２６が形成されると共に、この第３突起挿入溝１２６の上端から横方向に向けて、第３突起１４３が嵌め込まれる第３突起下部嵌入部１２７が形成されている。そして、第３突起下部嵌入部１２７の下部には、第３突起１４３の下面に形成された後述する第３カバー位置決め凹部１４４に嵌入する第３カバー下部位置決め凸部１２８が突設されている。
【００７０】
また、上記した第３突起下部嵌入部１２７のほぼ中間位置から上方に向けて、第３突起１４３が移動する第３上下移動溝１２９が形成されると共に、この第３上下移動溝１２９の上端から横方向に向けて、第３突起１４３が嵌め込まれる第３突起上部嵌入部１３０が形成されている。そして、第３突起上部嵌入部１３０の下部には、第３突起１４３の下面に形成された第３カバー位置決め凹部１４４に嵌入する第３カバー上部位置決め凸部１３１が突設されている。
【００７１】
次に、第３カバー部材１０３は、図２６に示すように、円筒形状に形成される第３カバー本体１４０によって構成され、この第３カバー本体１４０の上部には、外周方向に向けて第３カバー上部フランジ１４１が突設されると共に、下部には内周方向に向けて第３カバー下部フランジ１４２が突設されている。また、第３カバー下部フランジ１４２の対面する２箇所には、上記した第３カバー取付部１２５に嵌入される第３突起１４３が内周方向に向けて突設されている。この第３突起１４３の下面には、上記した第３カバー下部位置決め凸部１２８が嵌入される第３カバー位置決め凹部１４４が形成されている。
【００７２】
しかして、伸縮カバー１００を組み立てるには、まず、第１カバー部材１０１を第２カバー部材１０２の上方からその内側に挿入する。このとき、第２カバー部材１０２の第２突起１２３が第１カバー部材１０１の第２突起挿入溝１１１に挿入されるように、第１カバー部材１０１の位置を合わせる。第２突起１２３を第２突起挿入溝１１１に挿入した後、第１カバー部材１０１を時計方向に回転させることにより、第２突起１２３が第２突起下部嵌入部１１２に嵌入されると共に、第２カバー位置決め凹部１２４が第２カバー下部位置決め凸部１１３に嵌入され、第１カバー部材１０１が第２カバー部材１０２に対して固定される。
【００７３】
次に、上記した第１カバー部材１０１が固定された第２カバー部材１０２を第３カバー部材１０３の上方からその内側に挿入する。このとき、第３カバー部材１０３の第３突起１４３が第２カバー部材１０２の第３突起挿入溝１２６に挿入されるように、第２カバー部材１０２の位置を合わせる。第３突起１４３を第３突起挿入溝１２６に挿入した後、第２カバー部材１０２を時計方向に回転させることにより、第３突起１４３が第３突起下部嵌入部１２７に嵌入されると共に、第３カバー位置決め凹部１４４に第３カバー下部位置決め凸部１２８が嵌入され、第２カバー部材１０２が第３カバー部材１０３に対して固定される。
【００７４】
そして、第１カバー部材１０１を玉受け部１０の外周壁１５の外周に配置することにより、伸縮カバー１００をパチンコ玉回収装置５に取り付ける。このとき、玉受け部１０の取付突起１６が第１カバー部材１０１の突起挿入部１０７に挿入されるように、第１カバー部材１０１の位置を合わせる。取付突起１６を突起挿入部１０７に挿入した後、第１カバー部材１０１を時計方向に回転させることにより、取付突起１６が突起挿入部１０８に嵌入されると共に、第１カバー位置決め凹部１０９に取付突起１６の下面に突設された位置決め突起が嵌入され、第１カバー部材１０１が玉受け部１０に対して固定される。即ち、伸縮カバー１００がパチンコ玉回収装置５に対して固定されることとなる。以上により、図２７（Ａ）に示すように、伸縮カバー１００が縦方向で縮められた状態でパチンコ玉回収装置５に取り付けられる。
【００７５】
上記したような、伸縮カバー１００が縦方向で縮められた状態から、図２７（Ｂ）に示すような縦方向で伸ばした状態にするには、まず、第３カバー部材１０３を時計方向に回転させ、第３突起１４３を第２カバー部材１０２の第３上下移動溝１２９の位置まで移動させる。第３突起１４３を第３上下移動溝１２９の位置まで移動させた後、第３カバー部材１０３を上方に移動させる。このとき、第３突起１４３が第３上下移動溝１２９内を移動する。そして、このまま第３カバー部材１０３を上方に移動させると、第３カバー下部フランジ１４２の上面が第２カバー上部フランジ１２１の下面に当接するため、この位置から第３カバー部材１０３を上方に移動させることができなくなる。この状態から第３カバー部材１０３を反時計方向に回転させることにより、第３突起１４３が第３突起上部嵌入部１３０に嵌入されると共に、第３カバー位置決め凹部１４４に第３カバー上部位置決め凸部１３１が嵌入され、第３カバー部材１０３が第２カバー部材１０２の上方の位置で固定される。
【００７６】
次に、第２カバー部材１０２を時計方向に回転させ、第２突起１２３を第１カバー部材１０１の第２上下移動溝１１４の位置まで移動させる。第２突起１２３を第２上下移動溝１１４の位置まで移動させた後、第２カバー部材１０２を上方に移動させる。このとき、第２突起１２３が第２上下移動溝１１４内を移動する。そして、このまま第２カバー部材１０２を上方に移動させると、第２カバー下部フランジ１２２の上面が第１カバーフランジ１０５の下面に当接するため、この位置から第２カバー部材１０２を上方に移動させることができなくなる。この状態から第２カバー部材１０２を反時計方向に回転させることにより、第２突起１２３が第２突起上部嵌入部１１５に嵌入されると共に、第２カバー位置決め凹部１２４に第２カバー上部位置決め凸部１１６が嵌入され、第２カバー部材１０２が第１カバー部材１０１の上方の位置で固定される。以上により、図２７（Ｂ）に示すように、伸縮カバー１００が縦方向で伸ばされた状態となる。
【００７７】
上記したように、玉受け部１０の円筒形状の外周壁１５の外周には、中心軸方向に段階的に伸縮する伸縮カバー１００が、玉受け部１０と同心円状に設けられているため、パチンコ玉回収装置５を取り付けた状態によって、玉受け部１０とパチンコ機１の裏面にあるアウト玉排出口３との間に間隔が生じる場合であっても、伸縮カバー１００をアウト玉排出口３に向けて伸ばして間隔を狭めることにより、アウト玉排出口３から排出されるアウト玉を玉受け部１０で確実に受け止めることができると共に、アウト玉以外の玉が玉受け部１０に飛び込むことを防止することができる。
【００７８】
なお、上記した実施形態においては、図１５に示すように、玉排出部１１の上流側の所定区間を、玉受け部１０の外周を構成する外周壁１５に内接させて配置したものを示したが、これに限らず、例えば、図２８に示すように、玉排出部１１の上流側の所定区間を傾斜底面１２の外周に外接させて配置したものであってもよい。
【００７９】
また、上記した実施形態においては、玉受け部１０と玉排出部１１とを一体成型により、一体的に形成したものを示したが、これに限らず、本発明の技術思想から逸脱しないものであれば、玉受け部１０と玉排出部１１とを個別に成型して接続する構成のものであってもよい。
【００８０】
また、上記した本実施形態においては、玉受け部１０の傾斜底面１２に低反発性部材４７を貼付したものを示したが、これに限らず、無反発性部材が貼付されているものであってもよい。
【００８１】
また、上記した実施形態においては、玉受け部１０が設置される遊技機としてパチンコ機２を示したが、これに限らず、パチンコ玉を使用する遊技機であれば、例えば、パロット，雀球等の遊技機であってもよい。
【図面の簡単な説明】
【００８２】
【図１】パチンコ機の後面側下方に設置されているパチンコ玉回収装置の斜視図である。
【図２】パチンコ玉回収装置の分解斜視図である。
【図３】底面部材を取り外した状態の玉受け部の裏面側の斜視図である。
【図４】玉受け部に底面部材を取り付ける状態を示す側面図である。
【図５】パチンコ玉回収装置に本体ベース及びスライドベースを取り付ける状態の分解斜視図である。
【図６】底面部材が取り付けられた状態の玉受け部の裏面側の斜視図である。
【図７】スライドベースの裏面側の斜視図である。
【図８】玉受け部とスライドベースと本体ベースを分解した状態の側面図である。
【図９】パチンコ玉回収装置が基準位置にセットされた状態の側面図である。
【図１０】玉受け部及びスライドベースを基準位置からパチンコ機の前面側に移動させた状態の側面図である。
【図１１】玉受け部及びスライドベースを基準位置からパチンコ機の後面側に移動させた状態の側面図である。
【図１２】取付台４にパチンコ玉回収装置５を取り付ける状態を示す斜視図である。
【図１３】取付台を分解した状態と組み立てた状態を示す側面図である。
【図１４】パチンコ玉回収装置をパチンコ機の前面側及び後面側に移動させた状態の平面図である。
【図１５】パチンコ玉回収装置の平面図である。
【図１６】図１５のＡ−Ａにおける断面図である。
【図１７】図１５のＢ−Ｂにおける断面図である。
【図１８】パチンコ玉回収装置の側面図である。
【図１９】玉排出部を示す平面図である。
【図２０】玉受け部の傾斜底面上をパチンコ玉が転動する状態を示す平面図である。
【図２１】玉受け部の外周壁と玉受け部と連通した部分における玉排出部との間に形成された角部及び該角部に形成された面取り部を示す平面図である。
【図２２】角部に形成された面取り部の別の実施形態を示す平面図である。
【図２３】伸縮カバーの分解斜視図である。
【図２４】第１カバー部材の平面図，正面図及び側面図である。
【図２５】第２カバー部材の平面図，正面図及び縦断面図である。
【図２６】第３カバー部材の平面図及び縦断面図である。
【図２７】伸縮カバーを伸縮させた状態の側面図である。
【図２８】パチンコ玉回収装置の他の実施形態の平面図である。
【符号の説明】
【００８３】
１  パチンコ島台
２  パチンコ機
５  パチンコ玉回収装置
１０  玉受け部
１１  玉排出部
１２  傾斜底面
１３  最下部
１４  段差
１５  外周壁
１７  底面部
１８  急勾配区間
１９  緩勾配区間
２０  側壁
２１  角部
２２  面取り部
２３  交点
２４  交点
２９  底面部材
４１  第１係合突起
４２  第２スライド部材
４６  上流端部
５０  本体ベース
５１  第１スライド部材
５２  第２係合溝
５３  凹部
５７  パチンコ玉落下口
６０  スライドベース
６１  スライドガイド部
６２  第１係合溝
６３  凹部
６４  移動規制部
６５  第２係合突起
１００  伸縮カバー
１０１  第１カバー部材
１０２  第２カバー部材
１０３  第３カバー部材
【図１】
2005296046.tif 000003
【図２】
2005296046.tif 000004
【図３】
2005296046.tif 000005
【図４】
2005296046.tif 000006
【図５】
2005296046.tif 000007
【図６】
2005296046.tif 000008
【図７】
2005296046.tif 000009
【図８】
2005296046.tif 000010
【図９】
2005296046.tif 000011
【図１０】
2005296046.tif 000012
【図１１】
2005296046.tif 000013
【図１２】
2005296046.tif 000014
【図１３】
2005296046.tif 000015
【図１４】
2005296046.tif 000016
【図１５】
2005296046.tif 000017
【図１６】
2005296046.tif 000018
【図１７】
2005296046.tif 000019
【図１８】
2005296046.tif 000020
【図１９】
2005296046.tif 000021
【図２０】
2005296046.tif 000022
【図２１】
2005296046.tif 000023
【図２２】
2005296046.tif 000024
【図２３】
2005296046.tif 000025
【図２４】
2005296046.tif 000026
【図２５】
2005296046.tif 000027
【図２６】
2005296046.tif 000028
【図２７】
2005296046.tif 000029
【図２８】
2005296046.tif 000030